【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
流体の流れの中に光を放出するように構成される少なくとも１つの光源と、前記流体の流れからの蛍光発光を検出するように構成される少なくとも１つの検出器と、前記流体の流れの温度を感知するように構成される温度センサとを含むセンサヘッドと、
前記センサヘッドが中に挿入される空洞を画定するハウジングと、前記ハウジングの中を通って延びて前記空洞の外側から前記空洞の内側へ前記流体の流れを移動させるように構成される入口ポートと、前記ハウジングの中を通って延びて前記空洞の内側から再び前記空洞の外側へ流体の流れを移動させるように構成される出口ポートとを含むフローチャンバと、を備え、
前記ハウジングは、前記流体の流れが前記入口ポートを経由して前記ハウジングの中に入る時に、前記流体の流れが、前記光源及び前記検出器の付近を通過する主要な流れと、前記温度センサの付近を通過する副次的な流れと、に少なくとも分岐するように構成される、蛍光分析システム。
【請求項２】
前記センサヘッドは、近位端部から遠位端部に延びる細長いセンサハウジングを含み、前記温度センサは、前記細長いセンサハウジングの前記遠位端部に配置されており、前記光源と前記検出器は、前記細長いセンサハウジングの前記近位端部と前記遠位端部との間に配置されており、
前記ハウジングは、前記流体の流れが前記入口ポートを経由して前記ハウジングの中に入る時に、前記主要な流れが前記細長いセンサハウジングに対して実質的に平行に通過し、前記副次的な流れが前記細長いセンサハウジングの主軸線に対して実質的に垂直方向に通過するように構成される、請求項１に記載の蛍光分析システム。
【請求項３】
前記ハウジングは、前記流体の流れが前記入口ポートを経由して前記ハウジングの中に入る時に、前記空洞の中に入る前記流体の流れの１５体積パーセント未満が前記副次的な流れに向かって分岐するように構成される、請求項１に記載の蛍光分析システム。
【請求項４】
前記ハウジングは主軸線を画定し、前記ハウジングは、前記流体の流れが前記入口ポートを経由して前記ハウジングの中に入る時に、前記流体の流れが前記主軸線に対して平行に移動し、前記副次的な流れが前記流体の流れから前記主軸線に対して実質的に垂直方向に分岐し、前記主要な流れが前記副次的な流れが前記流体の流れから分岐する場所を通過して続く前記流体の流れの一部分として画定されるように構成される、請求項１に記載の蛍光分析システム。
【請求項５】
前記ハウジングは、前記流体の流れが重力に逆らって上方に移動し、前記副次的な流れが前記重力の方向に対して実質的に垂直な方向に前記流体の流れから分岐するように、方向配置される、請求項４に記載の蛍光分析システム。
【請求項６】
前記出口ポートは前記入口ポートの概ね反対側に配置されており、前記ハウジングは、前記流体の流れが前記入口ポートを経由して前記ハウジングの中に入る時に、前記主要な流れと前記副次的な流れが前記空洞内で再び一緒になり及び前記出口ポートを通って外に出るように構成される、請求項４に記載の蛍光分析システム。
【請求項７】
前記ハウジングは、前記流体の流れが前記入口ポートを経由して前記ハウジングの中に入る時に、前記主要な流れが前記光源と前記検出器とを通過した後に、前記ハウジングの外周の周りを第１の方向に移動する第１の放出流と、前記第１の方向に対して実質的に反対である第２の方向に前記ハウジングの外周の周りを移動する第２の放出流とに分岐するように構成される、請求項４に記載の蛍光分析システム。
【請求項８】
前記入口ポートと前記出口ポートとを通る流体移動を除いて前記空洞を流体的に封止するように前記ハウジングに対して前記センサヘッドを機械的に取り付けるように構成される固着リングをさらに備える、請求項１に記載の蛍光分析システム。
【請求項９】
前記センサヘッドは、近位端部から遠位端部に延びる細長いセンサハウジングを含み、前記細長いセンサハウジングは前記遠位端部における平らな底面を画定し、及び、前記細長いセンサハウジングの中心に向かって半径方向に延びる第１の平らな面と前記細長いセンサハウジングの前記中心に向かって半径方向に延びる第２の平らな面とによって画定される山形切り抜き部分を含み、前記第１の平らな面は前記第２の平らな面に交差し、前記光源は前記第１の平らな面の中に配置されており、前記検出器は前記第２の平らな面の中に配置される、請求項１に記載の蛍光分析システム。
【請求項１０】
センサヘッドを受け入れるように且つ分析のために流体の流れの中にセンサヘッドを配置するように構成される空洞を画定するハウジングであって、前記センサヘッドは、前記流体の流れの中に光を放出するように構成される少なくとも１つの光源と、前記流体の流れからの蛍光発光を検出するように構成される少なくとも１つの検出器と、前記流体の流れの温度を感知するように構成される温度センサとを含むハウジングと、
前記ハウジングの中を通って延び、前記空洞の外側から前記空洞の内側に流体の流れを移動させるように構成される入口ポートと、
前記ハウジングの中を通って延び、前記空洞の内側から再び前記空洞の外側へ流体の流れを移動させるように構成される出口ポートと、を備え、
前記ハウジングは、前記センサヘッドが前記ハウジングの中に挿入され及び前記流体の流れが前記入口ポートを経由して前記ハウジングの中に入る時に、前記流体の流れが、前記光源と前記検出器との付近を通過する主要な流れと、前記温度センサの付近を通過する副次的な流れとに少なくとも分岐するように構成される、フローチャンバ。
【請求項１１】
前記空洞は、近位端部から遠位端部に延びる細長いセンサハウジングを含むセンサヘッドを受け入れるように構成されており、前記温度センサは前記細長いセンサハウジングの前記遠位端部に配置されており、前記光源と前記検出器は前記細長いハウジングの前記近位端部と前記遠位端部との間に配置されており、
前記ハウジングは、前記センサヘッドが前記ハウジングの中に挿入され及び前記流体の流れが前記入口ポートを経由して前記ハウジングの中に入る時に、前記主要な流れが前記細長いセンサハウジングに対して実質的に平行に通過し、且つ、前記副次的な流れが前記細長いセンサハウジングの主軸線に対して実質的に垂直方向に通過するように構成される、請求項１０に記載のフローチャンバ。
【請求項１２】
前記ハウジングは、前記センサヘッドが前記ハウジングの中に挿入され、前記流体の流れが前記入口ポートを経由して前記ハウジングの中に入る時に、前記空洞の中に入る前記流体の流れの１５体積パーセント未満が前記副次的な流れに向かって分岐するように構成される、請求項１０に記載のフローチャンバ。
【請求項１３】
前記ハウジングは主軸線を画定し、前記ハウジングは、前記センサヘッドが前記ハウジングの中に挿入され及び前記流体の流れが前記入口ポートを経由して前記ハウジングの中に入る時に、前記流体の流れは前記主軸線に対して平行に移動し、前記副次的な流れが前記流体の流れから前記主軸線に対して実質的に垂直方向に分岐し、前記主要な流れが前記副次的な流れが前記流体の流れから分岐する場所を通過して続く前記流体の流れの一部分として画定されるように構成される、請求項１０に記載のフローチャンバ。
【請求項１４】
前記出口ポートは前記入口ポートの概ね反対側に配置されており、前記ハウジングは、前記センサヘッドが前記ハウジングの中に挿入され及び前記流体の流れが前記入口ポートを経由して前記ハウジングの中に入る時に、前記主要な流れと前記副次的な流れとが前記空洞内で一緒になり前記出口ポートを通って外に出るように構成される、請求項１３に記載のフローチャンバ。
【請求項１５】
前記ハウジングは、前記センサヘッドが前記ハウジングの中に挿入され及び前記流体の流れが前記入口ポートを経由して前記ハウジングの中の入る時に、前記主要な流れが前記光源と前記検出器とを通過した後に、前記ハウジングの外周の周りを第１の方向に移動する第１の放出流と前記第１の方向とは実質的に反対の第２の方向に前記ハウジングの前記外周の周りを移動する第２の放出流とに分岐するように構成される、請求項１３に記載のフローチャンバ。
【請求項１６】
前記ハウジングは、前記ハウジングに前記センサヘッドを機械的に取り付けるための固着リングを受け入れ、これによって前記入口ポートと前記出口ポートとを通る流体連通を除いて前記空洞を流体的に封止するように構成される、請求項１０に記載のフローチャンバ。